【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
少なくとも第一の処理エレメントおよび第二の処理エレメントを有する動的コンテンツ配信アーキテクチャにおいて、コンテンツペイロードに処理知能を追加する方法であって、
該方法は、
コンテンツペイロード（６３２）および第二の処理エレメントメタデータ（６３０；６２２）を備える第一のエンベロープ（６２０；６１４）を生成するステップであって、該第二の処理エレメントメタデータは、該第二の処理エレメント上でランされるように適合される、ステップと、
該第一のエンベロープ（６２０；６１４）および第一の処理エレメントメタデータ（６２２；６１２）を含む第二のエンベロープ（６１４；６１０）を形成するステップであって、該第一の処理エレメントメタデータは、該第一の処理エレメント上でランされるように適合される、ステップと
を包含する、方法。
【請求項２】
前記第一の処理エレメントメタデータ（６２２；６１２）および前記第二の処理エレメントメタデータ（６３０）は、前記コンテンツペイロード（６３２）に特有である、請求項１に記載の方法。
【請求項３】
前記第一の処理エレメントおよび前記第二の処理エレメントに、前記コンテンツペイロード（６３２）に対するチャネルに関するメタデータを伝播するステップをさらに包含する、請求項１または請求項２に記載の方法。
【請求項４】
前記コンテンツペイロード（６３２）に対するチャネルに関するメタデータを前記第一の処理エレメントおよび前記第二の処理エレメントに供給するステップをさらに包含する、請求項１または請求項２に記載の方法。
【請求項５】
前記少なくとも第一の処理エレメントおよび第二の処理エレメントは、プッシュプロキシ、プッシュクライアントまたはクライアントアプリケーションのいずれかを備える、請求項１〜４のいずれか１項に記載の方法。
【請求項６】
前記第一の処理エレメントにおいて前記第一の処理エレメントメタデータ（６２２；６１２）を抽出するステップと、
該第一の処理エレメントメタデータ（６２２；６１２）を前記第一のエンベロープ（６２０；６１４）上で用いて、処理された第一のエンベロープ（６２０；６１４）を生成するステップと、
該処理された第一のエンベロープ（６２０；６１４）を前記第二の処理エレメントに配信するステップと
をさらに包含する、請求項１〜５のいずれか１項に記載の方法。
【請求項７】
前記用いるステップおよび前記配信するステップの前に、前記チャネルに関するメタデータを前記第一のエンベロープ（６２０；６１４）に付与するステップをさらに包含する、請求項２または請求項３に従属する場合の請求項６に記載の方法。
【請求項８】
前記第一の処理エレメントにおいて、前記第一のエンベロープ（６２０；６１４）にメタデータ（６３０；６２２）を追加することをさらに包含する、請求項１〜７のいずれか１項に記載の方法。
【請求項９】
前記生成するステップおよび前記形成するステップは、コンテンツプロバイダによって実行される、請求項１〜８のいずれか１項に記載の方法。
【請求項１０】
前記第二のエンベロープ（６１４）と、第三の処理エレメントに対する第三の処理エレメントメタデータ（６１２）とを備える第三のエンベロープ（６１０）を生成するステップをさらに包含する、請求項１〜９のいずれか１項に記載の方法。
【請求項１１】
前記第一の処理エレメントメタデータ（６２２；６１２）は、処理パラメータ、処理ルール、処理ハンドラ、処理ハンドラコード、処理ハンドラリファレンス、処理ハンドラへのリンク、処理ハンドラコードへのリンクおよび／または処理ハンドラルールへのリンクのいずれかを備える、請求項１〜１０のいずれか１項に記載の方法。
【請求項１２】
動的コンテンツ配信アーキテクチャに対するコンテンツエンベロープであって、
該コンテンツエンベロープは、
コンテンツペイロード（６３２）と、
該動的コンテンツ配信アーキテクチャ内の第一の処理エレメントに対するコンテンツ処理メタデータ（６３０；６２２）であって、該コンテンツ処理メタデータ（６３０；６２２）および該コンテンツペイロード（６３２）は、第一のエンベロープ（６２０；６１４）を形成する、コンテンツ処理メタデータと、
該動的コンテンツ配信アーキテクチャ内の第二の処理エレメントに対する第二のコンテンツ処理メタデータ（６２２；６１２）であって、該第二のコンテンツ処理メタデータ（６２２；６１２）は、該第一のエンベロープ（６２０；６１４）とネスティングされて第二のエンベロープ（６１４；６１０）を形成する、第二のコンテンツ処理メタデータと
を備える、コンテンツエンベロープ。
【請求項１３】
前記第一の処理エレメントおよび前記第二の処理エレメントは、プッシュプロキシ、プッシュクライアントまたはクライアントアプリケーションのいずれかを備える、請求項１２に記載のコンテンツエンベロープ。
【請求項１４】
前記第二の処理エレメントに対する前記第二のコンテンツ処理メタデータ（６２２）は、前記第二の処理エレメントに対する完全な命令を提供するようにアレンジされる、請求項１２または請求項１３に記載のコンテンツエンベロープ。
【請求項１５】
前記第一の処理エレメントに対する前記コンテンツ処理メタデータ（６３０）は、前記第一の処理エレメントに対する完全な命令を提供するようにアレンジされる、請求項１２〜１４のいずれか１項に記載のコンテンツエンベロープ。
【請求項１６】
前記コンテンツ処理メタデータ（６３０）は、処理パラメータ、処理ルール、処理ハンドラ、処理ハンドラコード、処理ハンドラリファレンス、処理ハンドラへのリンク、処理ハンドラコードへのリンクおよび／または処理ハンドラルールへのリンクのいずれかを備える、請求項１２〜１５のいずれか１項に記載のコンテンツエンベロープ。
【請求項１７】
動的コンテンツ配信アーキテクチャにおいて、処理エレメントに対する第一のメタデータ（６２２）と、連続処理エレメントに対する第二のメタデータ（６３０）およびコンテンツ（６３２）とを有するエンベロープを処理する方法であって、
該方法は、
該処理エレメントに対する該第一のメタデータ（６２２）を該エンベロープから抽出するステップと、
該第一のメタデータ（６２２）を該連続処理エレメントに対する該第二のメタデータ（６３０）およびコンテンツ（６３２）上で用いるステップであって、それによって、処理されたネスティングされたエンベロープ（６２０）を生成するステップと、
該処理されたネスティングされたエンベロープ（６２０）を該連続処理エレメントのうちの一つに配信するステップと
を包含する、方法。
【請求項１８】
前記連続処理エレメントに対する前記メタデータ（６３０）およびコンテンツ（６３２）上で、前記コンテンツに対するチャネルメタデータ（６２２）を利用することをさらに包含する、請求項１７に記載の方法。
【請求項１９】
前記チャネルメタデータは、前記処理エレメントが前記エンベロープを受信する前に、該処理エレメントに供給または伝播される、請求項１８に記載の方法。
【請求項２０】
前記処理エレメントは、プッシュプロキシまたはプッシュクライアントのうちの一つである、請求項１７〜１９のいずれか１項に記載の方法。
【請求項２１】
前記処理エレメントに対する前記メタデータは、処理パラメータ、処理ルール、処理ハンドラ、処理ハンドラコード、処理ハンドラリファレンス、処理ハンドラへのリンク、処理ハンドラコードへのリンクおよび／または処理ハンドラルールへのリンクのいずれかを備える、請求項１７〜２０のいずれか１項に記載の方法。
【請求項２２】
動的コンテンツ配信アーキテクチャにおいて、処理エレメントに対する第一のメタデータ（６２２）と、連続処理エレメントに対する第二のメタデータ（６３０）およびコンテンツ（６３２）とを有するエンベロープを処理するシステムであって、
該システムは、
該処理エレメントに対する該第一のメタデータ（６２２）を該エンベロープから抽出する手段と、
該第一のメタデータ（６２２）を該連続処理エレメントに対する該第二のメタデータ（６３０）およびコンテンツ上で用いる手段であって、それによって、処理されたネスティングされたエンベロープ（６２０）を生成する手段と、
該処理されたネスティングされたエンベロープ（６２０）を該連続処理エレメントのうちの一つに配信する手段と
を備える、システム。
【請求項２３】
少なくとも第一の処理エレメントおよび第二の処理エレメントを有する動的コンテンツ配信アーキテクチャにおいて、コンテンツペイロードに処理知能を追加するコンピュータプログラム製品であって、該コンピュータプログラム製品は、コンピュータ機器、システムまたは装置によって実行可能なプログラムコード手段であって、請求項１〜１１のいずれか１項に記載の方法の全てのステップをインプリメントするためのプログラムコード手段を具現化するコンピュータ可読媒体を備える、コンピュータプログラム製品。
【請求項２４】
動的コンテンツ配信アーキテクチャにおいて、処理エレメントに対するメタデータと、連続処理エレメントに対するメタデータおよびコンテンツとを有するエンベロープを処理するコンピュータプログラム製品であって、該コンピュータプログラム製品は、コンピュータ機器、システムまたは装置によって実行可能なプログラムコード手段であって、請求項１７〜２１のいずれか１項に記載の方法の全てのステップをインプリメントするためのプログラムコード手段を具現化するコンピュータ可読媒体を備える、コンピュータプログラム製品。